(57)【要約】【課題】燃料ガスや助燃ガスの流量を変えても水素炎の形成位置の変化が少ないＦＰＤを提供し、以て常に良好なＳ／Ｎ比を保ってＦＰＤによる分析を行えるようにする。【解決手段】ＦＰＤセルの内部に助燃ガス吹出孔６から吹き出される助燃用空気の流れを水素炎８の方向、即ち燃料ガス吹出孔５の中心軸の延長線Ａの方に偏向させる偏向手段を設ける。具体的には、助燃ガス吹出孔６を水素炎８の方向に傾けて穿設する。このように構成することで、助燃ガスは水素炎８の方向に流れるので、助燃ガスと燃料ガスが混合しやすくなり、水素炎８の形成位置が安定する。【選択図】          図１
0003138552.tif 000002
【実用新案登録請求の範囲】
【請求項１】
カラム流出ガス、燃料ガス及び助燃ガスを混合して燃焼させる燃焼室と、その炎が発する特定波長の光の光度を測定する測光部と、前記助燃ガスを前記燃焼室内に吹き出す助燃ガス吹出孔が設けられた面から前記燃焼室内に向けて上向きに突設されたノズル筒の頂部に前記カラム流出ガスと燃料ガスとを吹き出す燃料ガス吹出孔を有するガスクロマトグラフ用の炎光光度検出器において、前記助燃ガス吹出孔から吹き出される助燃ガスの流れを前記燃料ガス吹出孔の中心軸の延長線に向けて偏向させる偏向手段を備えたことを特徴とする炎光光度検出器。
【請求項２】
偏向手段が、燃料ガス吹出孔の中心軸の延長線に向けて傾斜して穿設された助燃ガス吹出孔である請求項１記載の炎光光度検出器。
【請求項３】
偏向手段が、燃料ガス吹出孔の中心軸の延長線に向けて傾斜する傾斜面を有すると共に該傾斜面が前記助燃ガス吹出孔の中心軸の延長線により貫かれるように前記助燃ガス吹出孔の上方に配置された偏向部材である請求項１記載の炎光光度検出器。
【考案の詳細な説明】
【技術分野】
【０００１】
本考案はガスクロマトグラフ用の炎光光度検出器（以下、ＦＰＤと記す）に関する。
【背景技術】
【０００２】
ＦＰＤは、特に硫黄及び燐の化合物に選択的に高い感度を有することを特徴とするガスクロマトグラフ用の検出器である。
従来のＦＰＤの構造については特許文献１に詳述されているところであるが、以下、図３によりその概略を説明する。一般にガスクロマトグラフ用の検出器は検出部（セル）と電気系統とで構成されるが、図３は従来のＦＰＤセルの概略構造を断面図で示すものである。
【０００３】
同図に示すように、ＦＰＤセルは、金属製のセルベース１とその上部を覆うセル外筒２、及びセル外筒２の側方に取り付けられた測光部３等で構成され、セルベース１の上部とセル外筒２とで囲われたセル内部の空間は燃焼室４を形成する。セルベース１の下部から燃料ガスとして水素が、また助燃ガスとして空気が導入され、セルベース１の上部に設けられた燃料ガス吹出孔５と助燃ガス吹出孔６から燃焼室４内にそれぞれ吹き出される。燃料ガス吹出孔５は、助燃ガス吹出孔６が設けられた面から上方に突出する円柱状のノズル筒７の頂部に開口している。
【０００４】
ガスクロマトグラフのカラム１０は、その末端がノズル筒７の頂部まで達するように挿入され、セルベース１の下部で図示しないカラム接続具により気密に固定される。カラム１０の末端から流出するキャリアガスと試料成分の混合ガス（以下、カラム流出ガス）が燃料である水素と共に燃料ガス吹出孔５から吹き出され、燃焼して水素炎８を形成する。水素炎８から発する光は測光部３に導入され、ここで試料成分由来の特定波長の光の強度が測定され、検出信号として出力される。９は、水素炎８の下部から発するノイズ性発光を遮る遮光リングである。
【０００５】
上記のように、燃焼室４内に向けて突出するノズル筒７を設けて、水素とカラム流出ガスを助燃用空気よりも高い位置から吹き出す構造は、助燃用空気中の有機物に由来するノイズ性発光を試料成分由来の発光から分離するために有効であることは、特許文献１に詳述されている。
【特許文献１】特開２００２−０２２６６１号公報
【考案の開示】
【考案が解決しようとする課題】
【０００６】
上記のように、従来のＦＰＤでは燃料ガスと助燃ガス（空気）がそれぞれの吹出孔から平行に吹き出されるため、両ガスは並流しながら拡散により徐々に混合して水素炎を形成する。このため、ガスの流量が変わると、水素炎の形成される位置が変化しやすい。前述したように、助燃用空気中の有機物に由来するノイズ性発光を遮断するために遮光リングを設けているが、水素炎の形成位置が変わると、この遮光リングの高さも再調整しなければならない。遮光リングはＦＰＤセルの内部にあり、調整はセル外筒を外して行う必要があるので、その作業は手間が掛かり煩わしい。このため調整不完全な状態でＦＰＤを使用するケースがままあり、結果として良好なＳ／Ｎ比が得られないことも多かった。
【０００７】
本考案はこのような事情に鑑みてなされたものであり、燃料ガスや助燃ガスの流量を変えても水素炎の形成位置の変化が少ないＦＰＤを提供し、以て常に良好なＳ／Ｎ比を保ってＦＰＤによる分析を行えるようにすることを目的とする。
【課題を解決するための手段】
【０００８】
本考案は、上記課題を解決するために、ＦＰＤセルの内部に助燃ガス吹出孔から吹き出される助燃用空気の流れを水素炎の方向、即ち燃料ガス吹出孔の中心軸の延長線の方に偏向させる偏向手段を設ける。具体的には、助燃ガス吹出孔を水素炎の方向に傾けて穿設し、或いは、助燃ガス吹出孔の上方に、水素炎の方向に傾いた傾斜面を有する偏向部材を設ける。このように構成することで、助燃ガスは水素炎の方向に流れるので、助燃ガスと燃料ガスが混合しやすくなり、水素炎の形成位置が安定する。
【考案の効果】
【０００９】
本考案は上記のように構成されているので、燃料ガスや助燃ガスの流量条件を変えた場合でも、煩わしい遮光リングの高さ調整を行う必要がなく、常に良好なＳ／Ｎ比を維持できる。
【考案を実施するための最良の形態】
【００１０】
本考案が提供するＦＰＤの特徴は、ＦＰＤセルの内部に助燃ガス吹出孔から吹き出される助燃用空気の流れを燃料ガス吹出孔の中心軸の延長線の方に偏向させる偏向手段を設けるように構成した点にある。
従って、最良の形態の基本的な構成は、そのような構造を備えるＦＰＤである。  
【実施例１】
【００１１】
図１に本考案の一実施例を示す。同図は、本考案に関わる部分であるセルベース１の上部とその周辺のみを示すが、ＦＰＤセルとしての全体構成は図３に示す従来例と同様である。図１においては図３と同一物には同符号を付してあるので、ここでは再度の説明を省く。
本実施例が従来構成と異なる点は、助燃ガス吹出孔６を水素炎８の方に、即ち燃料ガス吹出孔５の中心軸の延長線Ａの方に傾けて設けたことである。言い換えると、燃料ガス吹出孔５の中心軸の延長線Ａと助燃ガス吹出孔６の中心軸の延長線Ｂ、Ｂ’とが交差するように各吹出孔を穿設する。
【００１２】
このように構成することにより、燃料ガス及び助燃ガスは交点Ｃに向けて吹き出し、交点Ｃの周辺で混合して交点Ｃ付近を中心に水素炎８が形成される。
交点Ｃの位置は、燃料ガス及び助燃ガスの流量とは無関係に助燃ガス吹出孔６の傾斜角によって定まるから、水素炎８の形成位置はこれらの流量に関係なく一定である。即ち、燃料ガス及び助燃ガスの流量を変化させた場合でも、水素炎の位置は動かない。但し、実際には流量変化に応じて水素炎８の位置も多少変動するが、その変動幅は図３に示す従来構成の場合に比べて小さい。
【００１３】
図２に本考案の他の２つの実施例を示す。同図においてもセルベース１の上部とその周辺のみを示し、また、図１または図３と同一物には同符号を付してあるので、再度の説明を省く。
同図（ａ）は、助燃ガス吹出孔６が開口する面をすり鉢状に構成し、このすり鉢状の面にほぼ垂直に助燃ガス吹出孔６を穿設した例である。このような構成により、助燃ガスは水素炎８に向けて吹き出されるので、図１の場合と同様の効果が得られる。
本実施例では、すり鉢状面の傾斜角を適切に選定すれば、すり鉢の上縁が図１における遮光リング９としての機能を兼ねるので、部品点数を減らすことでコストダウンが可能である。
【００１４】
図２（ｂ）は、他の変形例を示す。
本実施例は、従来同様に燃料ガス吹出孔５に平行に穿設された助燃ガス吹出孔６の上方を覆うように助燃ガスの流れ方向を偏向させる偏向部材１１を設けた例である。偏向部材１１は、従来の遮光リング９の上部を内側に傾斜させて傾斜面１１ａを形成したもので、助燃ガス吹出孔６の中心軸の延長線Ｂ、Ｂ’がこの傾斜面１１ａを貫くように配置されている。
【００１５】
このような構成により、助燃ガス吹出孔６から上方に向かって吹き出される助燃ガスは偏向部材１１の傾斜面１１ａに当たって、図中に矢印で示すように、水素炎８の方へ流れ方向が変えられ（偏向され）るので、図１または図２（ａ）の場合と同様の効果が得られる。
本実施例の利点は、図３に示すような従来既存のＦＰＤセルに対しても遮光リング９を偏向部材１１で置き換えるだけで本考案を実施できることである。なお、言うまでもなく、偏向部材１１は遮光リング９としての機能を兼ね備える。
【産業上の利用可能性】
【００１６】
本考案はガスクロマトグラフ用のＦＰＤに利用できる。
【図面の簡単な説明】
【００１７】
【図１】本考案の一実施例を示す図である。
【図２】本考案の他の実施例を示す図である。
【図３】従来の構成例を示す図である。
【符号の説明】
【００１８】
１  セルベース
２  セル外筒
３  測光部
４  燃焼室
５  燃料ガス吹出孔
６  助燃ガス吹出孔
７  ノズル筒
８  水素炎
９  遮光リング
１０  カラム
１１  偏向部材
１１ａ  傾斜面
【図１】
0003138552.tif 000003
【図２】
0003138552.tif 000004
【図３】
0003138552.tif 000005